(57)【要約】【課題】剥離紙を用いなくても、発光装置を所望の位置に取り付けるための粘着剤の保護を可能にする。【解決手段】第１基材１１０は、第１面１１２及び第２面１１４を有している。第２面１１４は、第１面１１２の反対側にある。面光源１２０は、第１基材１１０の第１面１１２側にある。第２基材２１０は、第３面２１２及び第４面２１４を有している。第４面２１４は、第３面２１２の反対側にある。粘着剤２２０は、第３面２１２側にある。第２基材２１０の第３面２１２は、第１状態において、粘着剤２２０を挟んで第１基材１１０の第２面１１４に対向する。第２基材２１０の第４面２１４は、第２状態において、第１基材１１０の第２面１１４に対向する。【選択図】図６
2017162780.tif 000002
【特許請求の範囲】
【請求項１】
第１面及び前記第１面とは反対側の第２面を有する第１基材と、前記第１面側に位置する面光源と、を有する照明部と、
第３面及び前記第３面とは反対側の第４面を有する第２基材と、前記第３面側に位置する粘着剤と、を有する取付部と、
を備え、
前記第２基材の前記第３面は、第１状態において、前記第１基材の前記第１面又は前記第２面に対向し、
前記第２基材の前記第４面は、前記第１状態とは異なる第２状態において、前記第１基材の前記第２面に対向する発光装置。
【請求項２】
請求項１に記載の発光装置において、
前記第１基材は、前記第２面側に第１溝を有し、
前記第２状態において、前記第２基材は、前記第４面が前記第１基材の前記第２面に対向するように前記第１溝に差し込まれる発光装置。
【請求項３】
請求項２に記載の発光装置において、
前記第１状態において、前記第２基材は、前記第３面が前記第１基材の前記第２面に対向するように前記第１溝に差し込まれる発光装置。
【請求項４】
請求項２又は３に記載の発光装置において、
前記第１基材は、前記第２面側において前記第１溝よりも前記第２面の近くの又は前記第１溝よりも前記第２面から離れた第２溝を有し、
前記第１状態において、前記第２基材は、前記第３面が前記第１基材の前記第２面に対向するように前記第２溝に差し込まれる発光装置。
【請求項５】
請求項４に記載の発光装置において、
前記第２状態において、前記第２基材は、前記第４面が前記第１基材の前記第２面に対向するように前記第２溝に差し込まれる発光装置。
【請求項６】
請求項１に記載の発光装置において、
前記照明部は、第１強磁性体を有し、
前記取付部は、第２強磁性体を有し、
前記第２状態において、前記第２面と前記第４面とが、互いに対向し、且、前記第１強磁性体及び前記第２強磁性体は互いに引き付けられる材料からなる発光装置。
【請求項７】
請求項１に記載の発光装置において、
前記第１基材及び前記第２基材の一方は、前記第１状態と前記第２状態の間で遷移するように前記第１基材及び前記第２基材の他方に対して回転可能である発光装置。
【請求項８】
請求項６又は７に記載の発光装置において、
前記第１状態において、前記第２基材の前記第３面は、前記第１基材の前記第１面に対向し、
前記第２基材は、前記第１状態において前記面光源を露出する開口を有する発光装置。
【発明の詳細な説明】
【技術分野】
【０００１】
本発明は、発光装置に関する。
【背景技術】
【０００２】
発光装置を所望の位置に取り付けるための種々の方法が検討されている。例えば特許文献１には、発光装置を粘着剤（具体的には、粘着テープ）によって所望の位置に取り付けることが記載されている。
【先行技術文献】
【特許文献】
【０００３】
【特許文献１】特開２００６−１１４３５号公報
【発明の概要】
【発明が解決しようとする課題】
【０００４】
発光装置を所望の位置に取り付けるための粘着剤（例えば、粘着テープ）は、粘着剤を外部の領域から保護するために剥離紙で覆われることがある。剥離紙は、発光装置を粘着剤によって所望の位置に取り付ける場合、粘着剤から剥がされる。剥離紙を粘着剤から一度剥がしても、例えば発光装置を別の位置に移動させる場合には粘着剤を保護するために剥離紙を再び粘着剤に貼り付けることがある。しかし、剥離紙を粘着剤に再び貼り付けることは煩わしい。さらに、発光装置を取り付けるために剥離紙を、粘着剤から剥がした後、剥離紙の管理する必要があり、紛失しやすい。
【０００５】
本発明が解決しようとする課題としては、剥離紙を用いなくても、発光装置を所望の位置に取り付けるための粘着剤の保護を可能にすることが一例として挙げられる。
【課題を解決するための手段】
【０００６】
請求項１に記載の発明は、
第１面及び前記第１面とは反対側の第２面を有する第１基材と、前記第１面側に位置する面光源と、を有する照明部と、
第３面及び前記第３面とは反対側の第４面を有する第２基材と、前記第３面側に位置する粘着剤と、を有する取付部と、
を備え、
前記第２基材の前記第３面は、第１状態において、前記第１基材の前記第１面又は前記第２面に対向し、
前記第２基材の前記第４面は、前記第１状態とは異なる第２状態において、前記第１基材の前記第２面に対向する発光装置である。
【図面の簡単な説明】
【０００７】
【図１】（ａ）は、第１の実施形態に係る発光装置に用いられる照明部の第１面を示す図であり、（ｂ）は、（ａ）に示した照明部の第２面を示す図である。
【図２】（ａ）は、図１（ｂ）のＡ−Ａ断面図であり、（ｂ）は、図１（ｂ）のＢ−Ｂ断面図である。
【図３】（ａ）は、第１の実施形態に係る発光装置に用いられる取付部の第３面を示す図であり、（ｂ）は、（ａ）に示した取付部の第４面を示す図である。
【図４】（ａ）は、図３（ａ）のＣ−Ｃ断面図であり、（ｂ）は、図３（ａ）のＤ−Ｄ断面図である。
【図５】第１の実施形態に係る発光装置の第１状態を説明するための図である。
【図６】（ａ）は、図５のＥ−Ｅ断面図であり、（ｂ）は、図５のＦ−Ｆ断面図である。
【図７】第１の実施形態に係る発光装置の第２状態を説明するための図である。
【図８】（ａ）は、図７のＧ−Ｇ断面図であり、（ｂ）は、図７のＨ−Ｈ断面図である。
【図９】図５〜図８に示した発光装置の使用方法の一例を説明するための図である。
【図１０】図５〜図８に示した発光装置の第１の変形例を説明するための図である。
【図１１】図５〜図８に示した発光装置の第１の変形例を説明するための図である。
【図１２】図５〜図８に示した発光装置の第２の変形例を説明するための図である。
【図１３】図５〜図８に示した発光装置の第２の変形例を説明するための図である。
【図１４】図５〜図８に示した発光装置の第２の変形例を説明するための図である。
【図１５】図５〜図８に示した発光装置の第２の変形例を説明するための図である。
【図１６】（ａ）は、第２の実施形態に係る発光装置に用いられる照明部の第１面を示す図であり、（ｂ）は、（ａ）に示した照明部の第２面を示す図である。
【図１７】（ａ）は、第２の実施形態に係る発光装置に用いられる取付部の第３面を示す図であり、（ｂ）は、（ａ）に示した取付部の第４面を示す図である。
【図１８】第２の実施形態に係る発光装置の第１状態を説明するための図である。
【図１９】図１８のＡ−Ａ断面図である。
【図２０】第２の実施形態に係る発光装置の第２状態を説明するための図である。
【図２１】図２０のＢ−Ｂ断面図である。
【図２２】図１８〜図２１に示した発光装置の使用方法の第１例を説明するための図である。
【図２３】図１８〜図２１に示した発光装置の使用方法の第２例を説明するための図である。
【図２４】図１８〜図２１に示した発光装置の第１の変形例を説明するための図である。
【図２５】図１８〜図２１に示した発光装置の第１の変形例を説明するための図である。
【図２６】図１８〜図２１に示した発光装置の第１の変形例を説明するための図である。
【図２７】図１８〜図２１に示した発光装置の第１の変形例を説明するための図である。
【図２８】図１８〜図２１に示した発光装置の第１の変形例を説明するための図である。
【図２９】図１８〜図２１に示した発光装置の第１の変形例を説明するための図である。
【図３０】図１８〜図２１に示した発光装置の第２の変形例を説明するための図である。
【図３１】図１８〜図２１に示した発光装置の第２の変形例を説明するための図である。
【図３２】図１８〜図２１に示した発光装置の第２の変形例を説明するための図である。
【図３３】図１８〜図２１に示した発光装置の第２の変形例を説明するための図である。
【図３４】図１８〜図２１に示した発光装置の第２の変形例を説明するための図である。
【図３５】図１８〜図２１に示した発光装置の第２の変形例を説明するための図である。
【図３６】図３２〜図３５に示した発光装置の使用方法の第１例を説明するための図である。
【図３７】図３２〜図３５に示した発光装置の使用方法の第２例を説明するための図である。
【図３８】（ａ）は、第３の実施形態に係る発光装置の第１状態を説明するための図であり、（ｂ）は、第３の実施形態に係る発光装置の第１状態を説明するための図である。
【図３９】図３８（ａ）のＡ−Ａ断面図である。
【図４０】（ａ）は、第３の実施形態に係る発光装置の第２状態を説明するための図であり、（ｂ）は、第３の実施形態に係る発光装置の第２状態を説明するための図である。
【図４１】図４０（ｂ）のＢ−Ｂ断面図である。
【図４２】図３８〜図４１に示した発光装置の使用方法の第１例を説明するための図である。
【図４３】図３８〜図４１に示した発光装置の使用方法の第２例を説明するための図である。
【図４４】図３８〜図４１に示した発光装置の第１の変形例を説明するための図である。
【図４５】図３８〜図４１に示した発光装置の第１の変形例を説明するための図である。
【図４６】図３８〜図４１に示した発光装置の第１の変形例を説明するための図である。
【図４７】図３８〜図４１に示した発光装置の第１の変形例を説明するための図である。
【図４８】図３８〜図４１に示した発光装置の第２の変形例を説明するための図である。
【図４９】図３８〜図４１に示した発光装置の第２の変形例を説明するための図である。
【図５０】図３８〜図４１に示した発光装置の第２の変形例を説明するための図である。
【図５１】図３８〜図４１に示した発光装置の第２の変形例を説明するための図である。
【図５２】図３８〜図４１に示した発光装置の照明部の詳細の第１例を説明するための図である。
【図５３】図３８〜図４１に示した発光装置の照明部の詳細の第２例を説明するための図である。
【図５４】（ａ）は、第４の実施形態に係る発光装置を説明するための図であり、（ｂ）は、第４の実施形態に係る発光装置を説明するための図である。
【図５５】図５４（ａ）のＡ−Ａ断面図である。
【図５６】図５４及び図５５に示した発光装置の使用方法の第１例を説明するための図である。
【図５７】図５４及び図５５に示した発光装置の使用方法の第２例を説明するための図である。
【図５８】（ａ）は、実施例１に係る発光装置の第１状態を説明するための図であり、（ｂ）は、実施例１に係る発光装置の第１状態を説明するための図である。
【図５９】（ａ）は、図５８（ａ）のＡ−Ａ断面図であり、（ｂ）は、図５８（ａ）のＢ−Ｂ断面図である。
【図６０】（ａ）は、実施例１に係る発光装置の第２状態を説明するための図であり、（ｂ）は、実施例１に係る発光装置の第２状態を説明するための図である。
【図６１】（ａ）は、図６０（ａ）のＣ−Ｃ断面図であり、（ｂ）は、図６０（ａ）のＤ−Ｄ断面図である。
【図６２】図５８〜図６１に示した支持部の機能を説明するための図である。
【図６３】（ａ）は、実施例２に係る発光装置に用いられる照明部の第１面を示す図であり、（ｂ）は、（ａ）に示した照明部の第２面を示す図である。
【図６４】（ａ）は、実施例２に係る発光装置に用いられるカバー部材を示す平面図であり、（ｂ）は、（ａ）のＡ−Ａ断面図である。
【図６５】（ａ）は、実施例２に係る発光装置の第１例の状態を示す平面図であり、（ｂ）は、（ａ）のＢ−Ｂ断面図である。
【図６６】（ａ）は、実施例２に係る発光装置の第２例の状態を示す平面図であり、（ｂ）は、（ａ）のＣ−Ｃ断面図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
（第１の実施形態）
図１（ａ）は、第１の実施形態に係る発光装置１０に用いられる照明部１００の第１面１１２を示す図である。図１（ｂ）は、図１（ａ）に示した照明部１００の第２面１１４を示す図である。図２（ａ）は、図１（ｂ）のＡ−Ａ断面図である。図２（ｂ）は、図１（ｂ）のＢ−Ｂ断面図である。図３（ａ）は、第１の実施形態に係る発光装置１０に用いられる取付部２００の第３面２１２を示す図である。図３（ｂ）は、図３（ａ）に示した取付部２００の第４面２１４を示す図である。図４（ａ）は、図３（ａ）のＣ−Ｃ断面図である。図４（ｂ）は、図３（ａ）のＤ−Ｄ断面図である。図５は、第１の実施形態に係る発光装置１０の第１状態を説明するための図である。図６（ａ）は、図５のＥ−Ｅ断面図である。図６（ｂ）は、図５のＦ−Ｆ断面図である。図７は、第１の実施形態に係る発光装置１０の第２状態を説明するための図である。図８（ａ）は、図７のＧ−Ｇ断面図である。図８（ｂ）は、図７のＨ−Ｈ断面図である。
【００１０】
発光装置は、照明部１００及び取付部２００を備えている。図１及び図２に示すように、照明部１００は、第１基材１１０及び面光源１２０を有している。第１基材１１０は、第１面１１２及び第２面１１４を有している。第２面１１４は、第１面１１２の反対側にある。面光源１２０は、第１基材１１０の第１面１１２側にある。図３及び図４に示すように、取付部２００は、第２基材２１０及び粘着剤２２０を有している。第２基材２１０は、第３面２１２及び第４面２１４を有している。第４面２１４は、第３面２１２の反対側にある。粘着剤２２０は、第３面２１２側にある。図５及び図６に示すように、第２基材２１０の第３面２１２は、第１状態において、粘着剤２２０を挟んで第１基材１１０の第２面１１４に対向する。図７及び図８に示すように、第２基材２１０の第４面２１４は、第２状態において、第１基材１１０の第２面１１４に対向する。以下、詳細に説明する。
【００１１】
図１及び図２に示すように、照明部１００は、第１基材１１０、面光源１２０及び複数の保持部１３０を有している。図３及び図４に示すように、取付部２００は、第２基材２１０及び粘着剤２２０を有している。
【００１２】
図１に示す例において、第１基材１１０の第１面１１２又は第２面１１４の形状は、第１辺１１６ａ、第２辺１１６ｂ、第３辺１１６ｃ及び第４辺１１６ｄを有する矩形である。第２辺１１６ｂは、第１辺１１６ａの反対側にある。第３辺１１６ｃは、第１辺１１６ａと第２辺１１６ｂの間にある。第４辺１１６ｄは、第３辺１１６ｃの反対側にある。なお、第１基材１１０の形状は、矩形に限定されるものではない。
【００１３】
面光源１２０は、第１基材１１０の第１面１１２側にある。図１（ａ）に示す例において、面光源１２０の形状は、矩形である。面光源１２０は、例えば複数の発光素子を含んでいる。各発光素子は、例えば、有機ＥＬ（Ｏｒｇａｎｉｃ  Ｅｌｅｃｔｒｏｌｕｍｉｎｅｓｃｅｎｃｅ）素子又はＬＥＤ（Ｌｉｇｈｔ−Ｅｍｉｔｔｉｎｇ  Ｄｉｏｄｅ）である。
【００１４】
複数の保持部１３０は、第１基材１１０の第２面１１４側にある。複数の保持部１３０の１つは第１辺１１６ａに沿って位置し、複数の保持部１３０のもう一つは第３辺１１６ｃに沿って位置し、複数の保持部１３０の残りの一つは第４辺１１６ｄに沿って位置している。第２辺１１６ｂには、保持部１３０が位置していない。各保持部１３０は、第１溝１３２を有している。
【００１５】
図３に示す例において、第２基材２１０の第３面２１２又は第４面２１４の形状は、第１辺２１６ａ、第２辺２１６ｂ、第３辺２１６ｃ及び第４辺２１６ｄを有する矩形である。第２辺２１６ｂは、第１辺２１６ａの反対側にある。第３辺２１６ｃは、第１辺２１６ａと第２辺２１６ｂの間にある。第４辺２１６ｄは、第３辺２１６ｃの反対側にある。なお、第２基材２１０の形状は、矩形に限定されるものではない。
【００１６】
図３（ａ）に示す例において、第２基材２１０は、第１領域２１０ａ及び第２領域２１０ｂを有している。第１領域２１０ａは、第２基材２１０の中央に位置している。粘着剤２２０は、第１領域２１０ａ上にある。第２領域２１０ｂは、第１領域２１０ａの周囲に位置している。図４に示すように、第２基材２１０の第２領域２１０ｂにおける厚さは、第２基材２１０の第１領域２１０ａにおける厚さよりも薄い。より詳細には、第１領域２１０ａにおける第３面２１２は、第２領域２１０ｂにおける第３面２１２よりも、第４面２１４から離れている。
【００１７】
図５及び図６に示すように、第１状態において、第１基材１１０の第２面１１４と第２基材２１０の第３面２１２は、互いに対向する。図６に示すように、第１状態において、第２基材２１０の第２領域２１０ｂは、保持部１３０の第１溝１３２に差し込まれておらず、保持部１３０の第１溝１３２の上方にある。一方、第１基材１１０と第２基材２１０は、粘着剤２２０によって互いに接合している。このため、第２基材２１０が第１基材１１０から取り外れることが防止される。
【００１８】
図５及び図６に示す例においては、粘着剤２２０が第１基材１１０の第２面１１４と第２基材２１０の第３面２１２の間にある。このため、粘着剤２２０が外部の領域に露出することが防止される。このため、照明部１００及び取付部２００とは異なる部材（例えば、剥離紙）により粘着剤２２０を覆わなくても、粘着剤２２０を外部の領域から保護することができる。
【００１９】
図７及び図８に示すように、第２状態において、第１基材１１０の第２面１１４と第２基材２１０の第４面２１４は、互いに対向する。図８に示すように、第２状態において、第２基材２１０の第２領域２１０ｂは、保持部１３０の第１溝１３２に差し込まれている。このため、第２基材２１０が第１基材１１０から取り外れることが抑制される。なお、第２基材２１０は、第２辺１１６ｂ（保持部１３０が位置しない領域）から第２面１１４に沿って保持部１３０の第１溝１３２に差し込まれる。
【００２０】
なお、第１基材１１０の第２面１１４は、粘着剤２２０が第２面１１４から剥がれやすいように形成されている。具体的には、第２面１１４の摩擦係数は低いものとなっている。より具体的には、第２面１１４は、例えばフッ素などの撥水性の材料をコーティングするなどして撥水処理が施されたアクリルからなる。その他の例として、第２面１１４は、ポリテトラフルオロエチレンからなる。
【００２１】
図９は、図５〜図８に示した発光装置１０の使用方法の一例を説明するための図である。本図に示す例において、発光装置１０は、第２状態（図７及び図８）にある。第２基材２１０は、粘着剤２２０によって壁Ｗに取り付けられている。第１辺１１６ａの保持部１３０の第１溝１３２には、第２基材２１０の第２領域２１０ｂが差し込まれている。これにより、第１溝１３２が第２領域２１０ｂに引っかかっている。このため、第１基材１１０が第２基材２１０から落下することが防止される。
【００２２】
図１０及び図１１は、図５〜図８に示した発光装置１０の第１の変形例を説明するための図である。図１０は、本変形例に係る発光装置１０の第１状態を説明するための図であり、本実施形態の図６に対応する。図１１は、本変形例に係る発光装置１０の第２状態を説明するための図であり、本実施形態の図８に対応する。
【００２３】
本変形例においては、図１０に示すように、第１状態においても、第２基材２１０の第２領域２１０ｂは、保持部１３０の第１溝１３２に差し込まれている。これにより、第２基材２１０が第１基材１１０から取り外れることが防止される。さらに、図１０及び図１１に示す例において、保持部１３０の第１溝１３２は、第２面１１４から離れた位置にある。具体的には、図１０に示すように、第１溝１３２は、第２基材２１０の第２領域２１０ｂが第１溝１３２に差し込まれた場合に粘着剤２２０が第２面１１４から離れるような位置にある。
【００２４】
本変形例においても、第１状態において、粘着剤２２０は、第１基材１１０の第２面１１４と第２基材２１０の第３面２１２の間にある。このため、粘着剤２２０が第１状態において、外部の領域に露出されることが防止される。このため、照明部１００及び取付部２００とは異なる部材（例えば、剥離紙）により粘着剤２２０を覆わなくても、粘着剤２２０を外部の領域から保護することができる。
【００２５】
図１２〜図１５は、図５〜図８に示した発光装置１０の第２の変形例を説明するための図である。図１２は、本変形例に係る発光装置１０の第１状態の第１例を説明するための図であり、本実施形態の図６に対応する。図１３は、本変形例に係る発光装置１０の第１状態の第２例を説明するための図であり、本実施形態の図６に対応する。図１４は、本変形例に係る発光装置１０の第２状態の第１例を説明するための図であり、本実施形態の図８に対応する。図１５は、本変形例に係る発光装置１０の第２状態の第２例を説明するための図であり、本実施形態の図８に対応する。
【００２６】
本変形例において、保持部１３０は、第１溝１３２及び第２溝１３４を有している。第１溝１３２の位置と第２溝１３４の位置は、互いに異なる高さにある。図１２〜図１５に示す例では、第２溝１３４が第１溝１３２よりも第１基材１１０の第２面１１４から離れている。図１２に示すように、第１状態において、第２溝１３４に第２基材２１０の第２領域２１０ｂを差し込むことができる。図１３に示すように、第１状態において、第１溝１３２にも第２基材２１０の第２領域２１０ｂを差し込むことができる。図１４に示すように、第２状態において、第２溝１３４に第２基材２１０の第２領域２１０ｂを差し込むことができる。図１５に示すように、第２状態において、第１溝１３２にも第２基材２１０の第２領域２１０ｂを差し込むことができる。
【００２７】
本変形例において、発光装置１０のユーザは、必要に応じて、第２領域２１０ｂを第１溝１３２及び第２溝１３４のいずれに差し込むかを選択することができる。例えば、第１状態において、粘着剤２２０を第１基材１１０の第２面１１４から離間させる場合は、図１２に示すように第２領域２１０ｂを第２溝１３４に差し込む。これに対して、第１状態において、粘着剤２２０を第１基材１１０の第２面１１４に接触させる場合は、図１３に示すように第２領域２１０ｂを第１溝１３２に差し込む。第２状態において、粘着剤２２０を第１基材１１０の第２面１１４から離れた位置に位置させる場合は、図１４に示すように第２領域２１０ｂを第２溝１３４に差し込む。これに対して、第２状態において、粘着剤２２０を第１基材１１０の第２面１１４の近い位置に位置させる場合は、図１５に示すように、第２領域２１０ｂを第１溝１３２に差し込む。
【００２８】
以上、本実施形態によれば、第１状態において、粘着剤２２０は、第１基材１１０の第２面１１４と第２基材２１０の第３面２１２の間にある。このため、粘着剤２２０が外部の領域に露出することが防止される。このため、照明部１００及び取付部２００とは異なる部材（例えば、剥離紙）により粘着剤２２０を覆わなくても、粘着剤２２０を外部の領域から保護することができる。
【００２９】
さらに、本実施形態によれば、第２状態において、第２基材２１０は、第１溝１３２又は第２溝１３４によって第１基材１１０に保持される。このため、第２基材２１０が第１基材１１０から取り外れることが防止される。
【００３０】
（第２の実施形態）
図１６（ａ）は、第２の実施形態に係る発光装置１０に用いられる照明部１００の第１面１１２を示す図である。図１６（ｂ）は、図１６（ａ）に示した照明部１００の第２面１１４を示す図である。図１７（ａ）は、第２の実施形態に係る発光装置１０に用いられる取付部２００の第３面２１２を示す図である。図１７（ｂ）は、図１７（ａ）に示した取付部２００の第４面２１４を示す図である。図１８は、第２の実施形態に係る発光装置１０の第１状態を説明するための図である。図１９は、図１８のＡ−Ａ断面図である。図２０は、第２の実施形態に係る発光装置１０の第２状態を説明するための図である。図２１は、図２０のＢ−Ｂ断面図である。本実施形態に係る発光装置１０は、以下の点を除いて、第１の実施形態に係る発光装置１０と同様である。
【００３１】
図１６に示すように、照明部１００は、第１基材１１０の第２面１１４上に強磁性体部材１４０を有している。本図に示す例において、強磁性体部材１４０は、磁石に引き付けられる強磁性体（例えば、鉄、ニッケル又はコバルト）からなり、具体的にはスチールシートである。
【００３２】
図１７に示す例において、第２基材２１０は、磁石（例えば、フェライト磁石）であり、具体的にはマグネットシートである。このため、鉄、ニッケル又はコバルトといった強磁性体は、第２基材２１０に引き付けられる。つまり、強磁性体部材１４０と第２基材２１０を互いに近接させると、強磁性体部材１４０は、第２基材２１０に引き付けられる。
【００３３】
図１８及び図１９に示すように、第１状態において、第１基材１１０と第２基材２１０は、粘着剤２２０によって互いに接合している。このため、第２基材２１０が第１基材１１０から取り外れることが防止される。
【００３４】
図２０及び図２１に示すように、第２状態において、強磁性体部材１４０と第２基材２１０は、磁力によって互いに接合している。このため、第２基材２１０が第１基材１１０から取り外れることが防止される。
【００３５】
なお、強磁性体部材１４０は、磁石（例えば、マグネットシート）であってもよい。この場合、第２基材２１０は、磁石であってもよいし、又は磁石に引き付けられる強磁性体であってもよい。この場合においても、強磁性体部材１４０と第２基材２１０は、互いに引き付けられる。
【００３６】
さらに、強磁性体部材１４０は、第１基材１１０の第１面１１２側にあってもよい。この場合、強磁性体部材１４０及び第２基材２１０は、第２状態（図２０及び図２１）において第１基材１１０を挟んで互いに対向する。このような場合であっても、強磁性体部材１４０と第２基材２１０の間の磁力が第１基材１１０を介して伝われば、強磁性体部材１４０及び第２基材２１０は、第２状態（図２０及び図２１）において、磁力によって互いに接合する。なお、強磁性体部材１４０は、第１面１１２と第２面１１４の間で第１基材１１０の内部に埋め込まれていてもよい。
【００３７】
図２２は、図１８〜図２１に示した発光装置１０の使用方法の第１例を説明するための図である。本図に示す例において、発光装置１０は、第２状態（図２０及び図２１）にある。第２基材２１０は、粘着剤２２０によって壁Ｗに取り付けられている。強磁性体部材１４０と第２基材２１０は、磁力によって互いに接合している。このため、第１基材１１０が第２基材２１０から落下することが防止される。
【００３８】
図２３は、図１８〜図２１に示した発光装置１０の使用方法の第２例を説明するための図である。本図に示す例において、発光装置１０は、第１状態（図１８及び図１９）にある。壁Ｗは、磁石（例えば、フェライト磁石）又は磁石に引き付けられる強磁性体（例えば、鉄、ニッケル又はコバルト）からなる。このため、第２基材２１０（マグネットシート）は、磁力によって壁Ｗに取り付けられる。第１基材１１０と第２基材２１０は、粘着剤２２０によって互いに接合している。このため、第１基材１１０が第２基材２１０から落下することが防止される。
【００３９】
図２４〜図２９は、図１８〜図２１に示した発光装置１０の第１の変形例を説明するための図である。図２４（ａ）は、本変形例に係る発光装置１０に用いられる照明部１００の第１面１１２を示す図である。図２４（ｂ）は、図２４（ａ）に示した照明部１００の第２面１１４を示す図である。図２５（ａ）は、本変形例に係る発光装置１０に用いられる取付部２００の第３面２１２を示す図である。図２５（ｂ）は、図２５（ａ）に示した取付部２００の第４面２１４を示す図である。図２６は、本変形例に係る発光装置１０の第１状態を説明するための図である。図２７は、図２６のＡ−Ａ断面図である。図２８は、本変形例に係る発光装置１０の第２状態を説明するための図である。図２９は、図２８のＢ−Ｂ断面図である。
【００４０】
図２４に示すように、第１基材１１０は、回路領域１５０を有している。回路領域１５０には、面光源１２０を制御する回路が位置している。強磁性体部材１４０は、第１基材１１０の第２面１１４上にある。強磁性体部材１４０は、磁石（例えば、フェライト磁石）又は磁石に引き付けられる強磁性体（例えば、鉄、ニッケル又はコバルト）からなる。強磁性体部材１４０と回路領域１５０は、互いに重ならないように位置している。このため、強磁性体部材１４０が磁石からなる場合であっても、強磁性体部材１４０から回路領域１５０に達する磁場を小さくすることができる。本図に示す例では、強磁性体部材１４０は、第１辺１１６ａ側に位置し、回路領域１５０は、第２辺１１６ｂ側に位置している。
【００４１】
図２５に示すように、取付部２００は、取付部２００の第４面２１４側に強磁性体部材２４０を有している。強磁性体部材２４０は、強磁性体部材１４０が磁石からなる場合は磁石又は磁石に引き付けられる強磁性体からなり、強磁性体部材１４０が磁石に引き付けられる強磁性体からなる場合は磁石からなる。このため、強磁性体部材１４０と強磁性体部材２４０を互いに近接させると、強磁性体部材１４０と強磁性体部材２４０は、互いに引き付けられる。本図に示す例において、強磁性体部材２４０は、第２基材２１０の第４面２１４のおおよそ半分を覆っており、第１辺２１６ａ側に位置している。
【００４２】
図２６及び図２７に示すように、第１状態において、取付部２００は、強磁性体部材２４０が回路領域１５０と重ならないように照明部１００に取り付けられる。このため、強磁性体部材２４０が磁石からなる場合であっても、強磁性体部材２４０から回路領域１５０に達する磁場を小さくすることができる。本図に示す例では、第１基材１１０と第２基材２１０は、粘着剤２２０によって互いに接合している。このため、第２基材２１０が第１基材１１０から取り外れることが防止される。
【００４３】
図２８及び図２９に示すように、第２状態において、強磁性体部材１４０と第２基材２１０は、磁力によって互いに接合している。このため、第２基材２１０が第１基材１１０から取り外れることが防止される。さらに、第２状態において、回路領域１５０は、強磁性体部材１４０及び強磁性体部材２４０とは重なっていない。このため、強磁性体部材１４０又は強磁性体部材２４０から回路領域１５０に達する磁場を小さくすることができる。
【００４４】
図３０〜図３５は、図１８〜図２１に示した発光装置１０の第２の変形例を説明するための図である。図３０（ａ）は、本変形例に係る発光装置１０に用いられる照明部１００の第１面１１２を示す図である。図３０（ｂ）は、図３０（ａ）に示した照明部１００の第２面１１４を示す図である。図３１（ａ）は、本変形例に係る発光装置１０に用いられる取付部２００の第３面２１２を示す図である。図３１（ｂ）は、図３１（ａ）に示した取付部２００の第４面２１４を示す図である。図３２は、本変形例に係る発光装置１０の第１状態を説明するための図である。図３３は、図３２のＡ−Ａ断面図である。図３４は、本変形例に係る発光装置１０の第２状態を説明するための図である。図３５は、図３４のＢ−Ｂ断面図である。
【００４５】
図３０に示すように、照明部１００は、第１基材１１０の第２面１１４側に強磁性体部材１４０を有している。強磁性体部材１４０は、磁石（例えば、フェライト磁石）又は磁石に引き付けられる強磁性体（例えば、鉄、ニッケル又はコバルト）からなる。
【００４６】
図３１に示すように、第２基材２１０は、開口２１８を有している。開口２１８の形状は、矩形である。粘着剤２２０は、第２基材２１０の第３面２１２上にある。粘着剤２２０は、開口２１８を囲むように位置している。強磁性体部材２４０は、第２基材２１０の第４面２１４上にある。強磁性体部材２４０は、開口２１８を囲むように位置している。強磁性体部材２４０は、強磁性体部材１４０が磁石からなる場合は磁石又は磁石に引き付けられる強磁性体からなり、強磁性体部材１４０が磁石に引き付けられる強磁性体からなる場合は磁石からなる。このため、強磁性体部材１４０と強磁性体部材２４０を互いに近接させると、強磁性体部材１４０と強磁性体部材２４０は、互いに引き付けられる。
【００４７】
図３２及び図３３に示すように、第１状態において、取付部２００は、面光源１２０が開口２１８を介して露出するように照明部１００に取り付けられる。このため、本変形例においては、第１状態においても、面光源１２０からの光を外部に照射することができる。第１基材１１０と第２基材２１０は、粘着剤２２０によって互いに接合している。このため、第２基材２１０が第１基材１１０から取り外れることが防止される。
【００４８】
図３４及び図３５に示すように、第２状態において、強磁性体部材１４０と強磁性体部材２４０は、磁力によって互いに接合している。このため、第２基材２１０が第１基材１１０から取り外れることが防止される。
【００４９】
なお、強磁性体部材１４０は、第１基材１１０の第１面１１２側にあってもよい。この場合、強磁性体部材１４０と強磁性体部材２４０は、第２状態（図３４及び図３５）において第１基材１１０を挟んで互いに対向する。このような場合であっても、強磁性体部材１４０と強磁性体部材２４０の間の磁力が第１基材１１０を介して伝われば、強磁性体部材１４０及び強磁性体部材２４０は、第２状態（図３４及び図３５）において、磁力によって互いに接合する。なお、強磁性体部材１４０は、第１面１１２と第２面１１４の間で第１基材１１０の内部に埋め込まれていてもよい。
【００５０】
さらに、強磁性体部材２４０は、第２基材２１０の第３面２１２側にあってもよい。この場合、強磁性体部材１４０は、例えば、第１基材１１０の第１面１１２側にあってもよいし、又は第１基材１１０の第２面１１４側にあってもよい。この場合、強磁性体部材１４０と強磁性体部材２４０は、第２状態（図３４及び図３５）において第２基材２１０（及び第１基材１１０）を挟んで互いに対向する。このような場合であっても、強磁性体部材１４０と強磁性体部材２４０の間の磁力が第２基材２１０（及び第１基材１１０）を介して伝われば、強磁性体部材１４０及び強磁性体部材２４０は、第２状態（図３４及び図３５）において、磁力によって互いに接合する。なお、強磁性体部材２４０は、第３面２１２と第４面２１４の間で第２基材２１０の内部に埋め込まれていてもよい。
【００５１】
図３６は、図３２〜図３５に示した発光装置１０の使用方法の第１例を説明するための図である。本図に示す例において、発光装置１０は、第１状態（図３２及び図３３）にある。壁Ｗは、磁石又は磁石に引き付けられる磁石強磁性体からなる。このため、強磁性体部材１４０は、磁力によって壁Ｗに取り付けられる。第１基材１１０と第２基材２１０は、粘着剤２２０によって互いに接合している。このため、第１基材１１０が第２基材２１０から落下することが防止される。さらに、面光源１２０は、第２基材２１０の開口２１８を介して露出している。このため、壁Ｗに対向する領域に向けて面光源１２０からの光を照射することができる。
【００５２】
図３７は、図３２〜図３５に示した発光装置１０の使用方法の第２例を説明するための図である。発光装置１０は、第２状態（図３４及び図３５）にある。第２基材２１０は、粘着剤２２０によって壁Ｗに取り付けられている。強磁性体部材１４０と第２基材２１０は、磁力によって互いに接合している。このため、第１基材１１０が第２基材２１０から落下することが防止される。
【００５３】
以上、本実施形態によれば、第１状態において、粘着剤２２０は、第１基材１１０と第２基材２１０の間にある。このため、粘着剤２２０が外部の領域に露出することが防止される。このため、照明部１００及び取付部２００とは異なる部材（例えば、剥離紙）により粘着剤２２０を覆わなくても、粘着剤２２０を外部の領域から保護することができる。
【００５４】
さらに、本実施形態によれば、第２状態において、第１基材１１０と第２基材２１０は、磁力によって互いに接合している。このため、第２基材２１０から第１基材１１０が取り外れることが防止される。
【００５５】
（第３の実施形態）
図３８（ａ）及び図３８（ｂ）は、第３の実施形態に係る発光装置１０の第１状態を説明するための図である。図３８（ａ）は、第１基材１１０の第２面１１４側から発光装置１０を見た図である。図３８（ｂ）は、第２基材２１０の第４面２１４側から発光装置１０を見た図である。図３９は、図３８（ａ）のＡ−Ａ断面図である。図４０（ａ）及び図４０（ｂ）は、第３の実施形態に係る発光装置１０の第２状態を説明するための図である。図４０（ａ）は、第１基材１１０の第１面１１２側から発光装置１０を見た図である。図４０（ｂ）は、第２基材２１０の第３面２１２側から発光装置１０を見た図である。図４１は、図４０（ｂ）のＢ−Ｂ断面図である。本実施形態に係る発光装置１０は、以下の点を除いて、第１の実施形態に係る発光装置１０と同様である。
【００５６】
図３８及び図３９に示すように、第１状態において、第１基材１１０の第１面１１２と第２基材２１０の第３面２１２は、粘着剤２２０を挟んで互いに対向している。図４０及び図４１に示すように、第２状態において、第１基材１１０の第２面１１４と第２基材２１０の第４面２１４は、互いに対向している。
【００５７】
第１基材１１０及び第２基材２１０の一方は、第１状態と第２状態の間で遷移するように第１基材１１０及び第２基材２１０の他方に対して回転可能に取り付けられている。具体的には、第１基材１１０と第２基材２１０は、支持部３００によって互いに接続している。支持部３００は、ダブルヒンジであり、具体的には、連結部材３０２、第１軸３１０及び第２軸３２０を有している。連結部材３０２は、第１軸３１０と第２軸３２０を互いに連結している。第１基材１１０は、第１軸３１０に関して回転可能になっている。第２基材２１０は、第２軸３２０に関して回転可能になっている。このため、第１基材１１０を第２基材２１０に対して３６０°回転させることができ、第２基材２１０を第１基材１１０に対して３６０°回転させることができる。
【００５８】
なお、本図に示す例では、２つの支持部３００が第１基材１１０の第２辺１１６ｂ及び第２基材２１０の第２辺２１６ｂに取り付けられている。２つの支持部３００は、第２辺１１６ｂの中心及び第２辺２１６ｂの中心を挟んで互いに反対側にある。このため、第１基材１１０及び第２基材２１０は、安定して回転することができる。
【００５９】
図４２は、図３８〜図４１に示した発光装置１０の使用方法の第１例を説明するための図である。本図に示す例において、発光装置１０は、第２状態（図４０及び図４１）にある。第２基材２１０は、粘着剤２２０によって壁Ｗに取り付けられている。第１基材１１０と第２基材２１０は、第１基材１１０の第２面１１４と第２基材２１０の第４面２１４が互いに対向するように支持部３００によって保持されている。このため、第１基材１１０が第２基材２１０から落下することが防止される。
【００６０】
図４３は、図３８〜図４１に示した発光装置１０の使用方法の第２例を説明するための図である。本図に示す例では、第１基材１１０は、第２基材２１０に対して傾くように支持部３００によって保持されている。第２基材２１０に対する第１基材１１０の傾きは、いずれの傾きにもすることができる。これにより、面光源１２０から照射される光の方向を調整することができる。
【００６１】
なお、第２基材２１０及び粘着剤２２０は、光透過性材料からなってもよい。この場合、第１状態（図３８及び図３９）においても、面光源１２０からの光は、粘着剤２２０及び第２基材２１０を介して外部に出射することができる。
【００６２】
図４４〜図４７は、図３８〜図４１に示した発光装置１０の第１の変形例を説明するための図である。図４４〜図４７は、図３８〜図４１にそれぞれ対応している。
【００６３】
本変形例においては、粘着剤２２０は、面光源１２０と重ならないように位置している。具体的には、粘着剤２２０は、面光源１２０を囲むように位置している。これにより、粘着剤２２０に汚れが付着していたとしても、その汚れが第１状態（図４４及び図４５）において面光源１２０に付着することを防止することができる。さらに、本変形例においては、粘着剤２２０が光透過性を有しない場合であっても、第２基材２１０が光透過性材料からなる場合、第１状態（図４４及び図４５）においても、面光源１２０からの光は、第２基材２１０を介して外部に出射することができる。
【００６４】
図４８〜図５１は、図３８〜図４１に示した発光装置１０の第２の変形例を説明するための図である。図４８〜図５１は、図３８〜図４１にそれぞれ対応している。
【００６５】
本変形例においては、第２基材２１０は、第１状態（図４８及び図４９）において面光源１２０を露出する開口２１８を有している。このため、第１状態（図４８及び図４９）においても、面光源１２０からの光は、第２基材２１０を介して外部に出射することができる。粘着剤２２０は、開口２１８の外側に位置しており、具体的には、開口２１８を囲んでいる。このため、第１状態（図４８及び図４９）において、粘着剤２２０が面光源１２０に接触することが防止される。これにより、粘着剤２２０に汚れが付着していたとしても、その汚れが第１状態（図４８及び図４９）において面光源１２０に付着することを防止することができる。
【００６６】
図５２は、図３８〜図４１に示した発光装置１０の照明部１００の詳細の第１例を説明するための図である。本図に示す例において、面光源１２０は、第１基材１１０、複数の発光素子１２０ａ及び複数のミラー１２８ａを有している。第１基材１１０は、光透過性材料からなり、例えばガラスからなる。複数の発光素子１２０ａは、第１基材１１０の第１面１１２上にある。各発光素子１２０ａは、有機ＥＬ素子であり、第１電極１２２、有機層１２４及び第２電極１２６を有している。第１電極１２２は、光透過性を有する導電性材料からなり、例えばＩＴＯ（Ｉｎｄｉｕｍ  Ｔｉｎ  Ｏｘｉｄｅ）からなる。有機層１２４は、第１電極１２２と第２電極１２６の間の電圧によって光を発する。第２電極１２６は、光透過性を有しない導電性材料からなり、例えばアルミニウムからなる。複数のミラー１２８ａは、第１基材１１０の第２面１１４上にある。各ミラー１２８ａは、互いに隣接する発光素子１２０ａの間にある。
【００６７】
本図に示す例においては、有機層１２４からの光を第１面１１２及び第２面１１４の双方から出射することができる。詳細には、有機層１２４からの光の一部は、第１基材１１０を透過し、互いに隣接するミラー１２８ａの間（第２面１１４）から外部に出射される。有機層１２４からの光の他の一部は、第１基材１１０を透過し、ミラー１２８ａで反射され、互いに隣接する発光素子１２０ａの間（第１面１１２）から介して外部に出射される。
【００６８】
図５３は、図３８〜図４１に示した発光装置１０の照明部１００の詳細の第２例を説明するための図である。本図に示す例では、照明部１００は、第１基材１１０の第２面１１４上にハーフミラー１２８ｂを有している。これにより、詳細には、有機層１２４からの光の一部は、第１基材１１０及びハーフミラー１２８ｂを透過し、第２面１１４から外部に出射される。有機層１２４からの光の他の一部は、第１基材１１０を透過し、ハーフミラー１２８ｂで反射され、互いに隣接する発光素子１２０ａの間（第１面１１２）から外部に出射される。
【００６９】
以上、本実施形態によれば、第１状態において、粘着剤２２０は、第１基材１１０と第２基材２１０の間にある。このため、粘着剤２２０が外部の領域に露出することが防止される。このため、照明部１００及び取付部２００とは異なる部材（例えば、剥離紙）により粘着剤２２０を覆わなくても、粘着剤２２０を外部の領域から保護することができる。
【００７０】
さらに、本実施形態によれば、第１基材１１０及び第２基材２１０の一方は、第１基材１１０及び第２基材２１０の他方に対して回転可能に取り付けられている。このため、第１基材１１０及び第２基材２１０の一方を第１基材１１０及び第２基材２１０の他方に対して回転させることで、発光装置１０は、第１状態と第２状態の間で遷移する。
【００７１】
（第４の実施形態）
図５４（ａ）及び図５４（ｂ）は、第４の実施形態に係る発光装置１０を説明するための図である。図５４（ａ）は、第１基材１１０の第１面１１２側から発光装置１０を見た図である。図５４（ｂ）は、第２基材２１０の第４面２１４側から発光装置１０を見た図である。図５５は、図５４（ａ）のＡ−Ａ断面図である。本実施形態に係る発光装置１０は、以下の点を除いて、第３の実施形態に係る発光装置１０と同様である。
【００７２】
図５４及び図５５に示す例において、第１基材１１０の第２面１１４と第２基材２１０の第３面２１２は、粘着剤２２０を挟んで互いに対向している。粘着剤２２０は、第１基材１１０の第２面１１４に取り付けられていてもよいし、又は第２基材２１０の第３面２１２に取り付けられていてもよい。
【００７３】
図５６は、図５４及び図５５に示した発光装置１０の使用方法の第１例を説明するための図である。本図に示す例では、粘着剤２２０は、第２基材２１０の第３面２１２に取り付けられている。第２基材２１０は、粘着剤２２０によって壁Ｗに取り付けられている。第１基材１１０は、支持部３００を挟んで第２基材２１０の上方に支持されている。これにより、壁Ｗに対向する領域に向けて面光源１２０からの光を照射することができる。さらに、第１基材１１０は、支持部３００の第１軸３１０に対して回転可能である。さらに、第１基材１１０は、壁Ｗから傾くように保持されることができる。これにより、面光源１２０から照射される光の方向を調整することができる。
【００７４】
図５７は、図５４及び図５５に示した発光装置１０の使用方法の第２例を説明するための図である。本図に示す例では、粘着剤２２０は、第１基材１１０の第２面１１４に取り付けられている。第１基材１１０は、粘着剤２２０によって壁Ｗに取り付けられている。第２基材２１０は、支持部３００を挟んで第１基材１１０の下方に支持されている。
【実施例】
【００７５】
（実施例１）
図５８（ａ）及び図５８（ｂ）は、実施例１に係る発光装置１０の第１状態を説明するための図である。図５８（ａ）は、第２基材２１０の第４面２１４側から発光装置１０を見た図である。図５８（ｂ）は、第１基材１１０の第２面１１４側から発光装置１０を見た図である。図５９（ａ）は、図５８（ａ）のＡ−Ａ断面図である。図５９（ｂ）は、図５８（ａ）のＢ−Ｂ断面図である。図６０（ａ）及び図６０（ｂ）は、実施例１に係る発光装置１０の第２状態を説明するための図である。図６０（ａ）は、第１基材１１０の第１面１１２側から発光装置１０を見た図である。図６０（ｂ）は、第２基材２１０の第３面２１２側から発光装置１０を見た図である。図６１（ａ）は、図６０（ａ）のＣ−Ｃ断面図である。図６１（ｂ）は、図６０（ａ）のＤ−Ｄ断面図である。図６２は、図５８〜図６１に示した支持部３００の機能を説明するための図である。
【００７６】
本実施例において、第２基材２１０は、第１状態（図５８及び図５９）において面光源１２０を露出する開口２１８を有している。このため、本実施例では、第１状態（図５８及び図５９）においても、開口２１８を介して面光源１２０からの光を外部に出射することができる。
【００７７】
第１状態（図５８及び図５９）において、第１基材１１０の第１面１１２と第２基材２１０の第３面２１２は、粘着剤２２０によって互いに接合している。粘着剤２２０は、第１状態（図５８及び図５９）において面光源１２０と重ならない領域に位置している。このため、粘着剤２２０が面光源１２０に接触することが防止される。具体的には、粘着剤２２０は、開口２１８の外側に位置している。図６０（ｂ）に示す例では、粘着剤２２０の一部は、開口２１８と第３辺２１６ｃの間にあり、粘着剤２２０の他の一部は、開口２１８と第４辺２１６ｄの間にある。
【００７８】
第２基材２１０は、支持部３００によって第１基材１１０に対して回転可能になっている。これにより、発光装置１０は、図６２に示すように、第１状態（図５８及び図５９）と第２状態（図６０及び図６１）の間で遷移することができる。本実施例において、支持部３００は、ダブルヒンジである。第２基材２１０は、支持部３００の第２軸３２０に関して回転可能になっている。第２軸３２０は、連結部材３０２によって第１軸３１０に連結している。連結部材３０２は、第１軸３１０に関して回転可能になっている。これにより、第２基材２１０は、第１基材１１０に対して３６０°回転することができる。
【００７９】
本実施例において、第１基材１１０の第２面１１４上には、強磁性体部材１４０がある。強磁性体部材１４０は、磁石であり、具体的には、マグネットシートである。第２基材２１０の第４面２１４上には、強磁性体部材２４０がある。強磁性体部材２４０は、磁石に引き付けられる強磁性体であり、具体的にはステンレスシートである。これにより、第２状態（図６０及び図６１）において、第１基材１１０と第２基材２１０は、強磁性体部材１４０と強磁性体部材２４０の間の磁力によって互いに接合する。
【００８０】
なお、第１基材１１０の強磁性体部材１４０上には、複数の突出部１６０が位置している。図５８（ｂ）に示すように、突出部１６０は、第１辺１１６ａと第３辺１１６ｃの間の角、第３辺１１６ｃと第２辺１１６ｂの間の角、第２辺１１６ｂと第４辺１１６ｄの間の角及び第４辺１１６ｄと第１辺１１６ａの間の角にある。各突出部１６０の下端は、面一になっている。このため、第１状態（図５８及び図５９）の発光装置１０を平坦な面に置いた場合、発光装置１０をこの面と平行に支持することができる。さらに、強磁性体部材１４０（第１基材１１０の第２面１１４）がこの面に接触することを防止することができる。なお、図５８（ａ）に示すように、第２状態（図６０及び図６１）において突出部１６０と重なる領域には、強磁性体部材１４０が設けられていない。
【００８１】
本実施例においては、第２状態（図６０及び図６１）において、発光装置１０は、粘着剤２２０によって壁に取り付けられる。さらに、壁が磁石又は磁石に引き付けられる強磁性体からなる場合は、第１状態（図５８及び図５９）においても、発光装置１０は、強磁性体部材１４０（マグネットシート）によって壁に取り付けられる。
【００８２】
（実施例２）
図６３（ａ）は、実施例２に係る発光装置１０に用いられる照明部１００の第１面１１２を示す図である。図６３（ｂ）は、図６３（ａ）に示した照明部１００の第２面１１４を示す図である。図６４（ａ）は、実施例２に係る発光装置１０に用いられるカバー部材４００を示す平面図である。図６４（ｂ）は、図６４（ａ）のＡ−Ａ断面図である。図６５（ａ）は、実施例２に係る発光装置１０の第１例の状態を示す平面図である。図６５（ｂ）は、図６５（ａ）のＢ−Ｂ断面図である。図６６（ａ）は、実施例２に係る発光装置１０の第２例の状態を示す平面図である。図６６（ｂ）は、図６６（ａ）のＣ−Ｃ断面図である。
【００８３】
図６３（ａ）に示すように、照明部１００は、第１基材１１０の第１面１１２側に面光源１２０を有している。図６３（ｂ）に示すように、照明部１００は、第１基材１１０の第２面１１４側に粘着剤２２０を有している。
【００８４】
図６４に示すように、カバー部材４００は、底部４１０及び２つの保持部４２０を有している。カバー部材４００（底部４１０及び保持部４２０）は、光透過性材料からなる。２つの保持部４２０は、底部４１０上の空間を挟んで互いに対向している。各保持部４２０は、側壁部４２２及び突出部４２４を有している。側壁部４２２は、底部４１０から上方に向けて突出している。突出部４２４は、側壁部４２２から底部４１０の中心に向けて突出している。
【００８５】
図６５に示すように、第１例の状態において、カバー部材４００は、底部４１０が粘着剤２２０を覆い、かつ互いに対向する２つの突出部４２４の間から面光源１２０が露出するように照明部１００に取り付けられる。これにより、粘着剤２２０が外部の領域に露出することが防止される。
【００８６】
図６６に示すように、第２例の状態において、カバー部材４００は、底部４１０が面光源１２０を覆い、かつ互いに対向する２つの突出部４２４の間から粘着剤２２０が露出するように照明部１００に取り付けられる。これにより、粘着剤２２０を壁に取り付けることができる。さらに、底部４１０は、光透過性材料からなる。このため、面光源１２０からの光は、底部４１０を介して外部に出射することができる。
【００８７】
以上、図面を参照して実施形態及び実施例について述べたが、これらは本発明の例示であり、上記以外の様々な構成を採用することもできる。
【符号の説明】
【００８８】
１０  発光装置
１００  照明部
１１０  第１基材
１１２  第１面
１１４  第２面
１１６ａ  第１辺
１１６ｂ  第２辺
１１６ｃ  第３辺
１１６ｄ  第４辺
１２０  面光源
１２０ａ  発光素子
１２２  第１電極
１２４  有機層
１２６  第２電極
１２８ａ  ミラー
１２８ｂ  ハーフミラー
１３０  保持部
１３２  第１溝
１３４  第２溝
１４０  強磁性体部材
１５０  回路領域
１６０  突出部
２００  取付部
２１０  第２基材
２１０ａ  第１領域
２１０ｂ  第２領域
２１２  第３面
２１４  第４面
２１６ａ  第１辺
２１６ｂ  第２辺
２１６ｃ  第３辺
２１６ｄ  第４辺
２１８  開口
２２０  粘着剤
２４０  強磁性体部材
３００  支持部
３０２  連結部材
３１０  第１軸
３２０  第２軸
４００  カバー部材
４１０  底部
４２０  保持部
４２２  側壁部
４２４  突出部
【図１】
2017162780.tif 000003
【図２】
2017162780.tif 000004
【図３】
2017162780.tif 000005
【図４】
2017162780.tif 000006
【図５】
2017162780.tif 000007
【図６】
2017162780.tif 000008
【図７】
2017162780.tif 000009
【図８】
2017162780.tif 000010
【図９】
2017162780.tif 000011
【図１０】
2017162780.tif 000012
【図１１】
2017162780.tif 000013
【図１２】
2017162780.tif 000014
【図１３】
2017162780.tif 000015
【図１４】
2017162780.tif 000016
【図１５】
2017162780.tif 000017
【図１６】
2017162780.tif 000018
【図１７】
2017162780.tif 000019
【図１８】
2017162780.tif 000020
【図１９】
2017162780.tif 000021
【図２０】
2017162780.tif 000022
【図２１】
2017162780.tif 000023
【図２２】
2017162780.tif 000024
【図２３】
2017162780.tif 000025
【図２４】
2017162780.tif 000026
【図２５】
2017162780.tif 000027
【図２６】
2017162780.tif 000028
【図２７】
2017162780.tif 000029
【図２８】
2017162780.tif 000030
【図２９】
2017162780.tif 000031
【図３０】
2017162780.tif 000032
【図３１】
2017162780.tif 000033
【図３２】
2017162780.tif 000034
【図３３】
2017162780.tif 000035
【図３４】
2017162780.tif 000036
【図３５】
2017162780.tif 000037
【図３６】
2017162780.tif 000038
【図３７】
2017162780.tif 000039
【図３８】
2017162780.tif 000040
【図３９】
2017162780.tif 000041
【図４０】
2017162780.tif 000042
【図４１】
2017162780.tif 000043
【図４２】
2017162780.tif 000044
【図４３】
2017162780.tif 000045
【図４４】
2017162780.tif 000046
【図４５】
2017162780.tif 000047
【図４６】
2017162780.tif 000048
【図４７】
2017162780.tif 000049
【図４８】
2017162780.tif 000050
【図４９】
2017162780.tif 000051
【図５０】
2017162780.tif 000052
【図５１】
2017162780.tif 000053
【図５２】
2017162780.tif 000054
【図５３】
2017162780.tif 000055
【図５４】
2017162780.tif 000056
【図５５】
2017162780.tif 000057
【図５６】
2017162780.tif 000058
【図５７】
2017162780.tif 000059
【図５８】
2017162780.tif 000060
【図５９】
2017162780.tif 000061
【図６０】
2017162780.tif 000062
【図６１】
2017162780.tif 000063
【図６２】
2017162780.tif 000064
【図６３】
2017162780.tif 000065
【図６４】
2017162780.tif 000066
【図６５】
2017162780.tif 000067
【図６６】
2017162780.tif 000068